【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
応答を有する利得要素において、バーコードを表すアナログ信号に関する所定の振幅に基づく利得信号を受け取るステップと、
前記利得要素応答および／または前記利得要素のマップを使用して、前記利得信号に対する線形応答を生成するステップと、
前記アナログ信号を、演算増幅器のプラス入力に印加するステップと、
前記利得信号に対する前記線形応答を、前記演算増幅器のマイナス入力に印加するステップと
から構成されることを特徴とする方法。
【請求項２】
前記利得要素は第１および第２の利得要素を有し、前記第１の利得要素は第２の利得要素にマッチされ、前記線形応答は前記第１と第２の利得要素を使用して生成されることと特徴とする請求項１記載の方法。
【請求項３】
前記第１の利得要素と前記第２の利得要素のゲートにおいて受け取る前に、前記利得信号をバッファリングするステップをさらに有することを特徴とする請求項１または２記載の方法。
【請求項４】
前記演算増幅器において受け取る前に前記アナログ信号を濾波するステップをさらに有することを特徴とする請求項１または２記載の方法。
【請求項５】
バーコードを表すアナログ信号に関する所定の振幅に基づく利得信号を受け取る応答を有する利得要素と、
前記利得要素のマップおよび／または前記利得要素を使用して前記利得信号に対する線形応答を生成する手段と、
前記利得信号に対する前記線形応答を与える回路と、
から構成されることを特徴とする装置。
【請求項６】
前記利得要素は、
前記利得信号を受け取る第１の利得要素と、
前記利得信号を受け取る第２の利得要素と、
から構成され、前記第１の利得要素は第２の利得要素にマッチし、前記第１の利得要素と前記第２の利得要素の組合せは、前記利得信号に対する線形応答を生成することを特徴とする請求項５記載の装置。
【請求項７】
前記利得要素応答のマップをさらに備え、前記利得要素応答と前記利得要素応答マップは組合せは、前記利得信号に対する線形応答を生成する前記利得要素応答のマップと、
前記線形応答を与える前記回路は、第２のアナログ信号を生成することを特徴とする請求項５記載の装置。
【請求項８】
前記第２のアナログ信号の少なくとも一部分の第１の周波数部分の振幅を測定する論理と、前記第２のアナログ信号の少なくとも一部分の第２の周波数部分の振幅を測定する論理とをさらに有することを特徴とする請求項７記載の装置。
【請求項９】
前記第１の利得要素と前記第２の利得要素のゲートにおいて受け取る前に、前記利得信号をバッファリングする論理をさらに有することを特徴とする請求項７または８記載の装置。
【請求項１０】
前記論理は、前記演算増幅器において受け取る前に、前記アナログ信号をさらに濾波することを特徴とする請求項９記載の装置。
【請求項１１】
前記利得要素は、
前記第１の利得要素にマッチされ、利得信号に対する線形応答を生成する第１の利得要素と第２の利得要素と、第２のアナログ信号を生成するための前記第１のアナログ信号に対する前記線形応を与える回路とを有し、前記装置は前記第２のアナログ信号の少なくとも一部分の第１の周波数部分の振幅を測定する論理と、前記第２のアナログ信号の少なくとも一部分の第２の周波数部分の振幅を測定する論理とをさらに有することを特徴とする請求項５記載の装置。
【請求項１２】
前記利得要素がトランジスタであるか、または前記第１および／または第２の利得要素がトランジスタであることを特徴とする請求項５乃至１１記載の装置。
【請求項１３】
バーコードを表すアナログ信号の第１の周波数部分の振幅が前記アナログ信号の第２の周波数部分の振幅と等しいほぼ等しいと判定し、雑音フィルタがＯＦＦであると判定し、読み取り率が所定の値未満であると判定し、前記読み取り率が前記所定の値未満であることに応答して前記雑音フィルタをＯＮにする論理を有することを特徴とする装置。
【請求項１４】
バーコードを表す前記アナログ信号に、前記アナログ信号に関する所定の振幅に基づいて第１の利得を与え、
前記アナログ信号の第１の周波数部分の振幅を測定し、
前記アナログ信号の第２の周波数部分の振幅を測定する
論理を有することを特徴とする請求項１３記載の装置。
【請求項１５】
前記第１の利得要素にマッチさて、バーコードを表す第１のアナログ信号に関する所定の振幅に基づく利得信号に対する線形応答を生成する第１の利得要素と第２の利得要素と、
前記線形応答を前記第１のアナログ信号に与え、第２のアナログ信号を生成する回路と、
前記第２のアナログ信号の第１の周波数部分の振幅を測定し、前記第２のアナログ信号の第２の周波数部分の振幅を測定する回路と、
から構成されることを特徴とする請求項１３または１４記載の装置。
【請求項１６】
前記第１の利得要素にマッチさて、バーコードを表す第１のアナログ信号に関する所定の振幅に基づく利得信号に対する線形応答を生成する第１の利得要素と第２の利得要素と、
前記線形応答を前記第１のアナログ信号に与え、前記第２のアナログ信号を生成する回路と、
から構成されることを特徴とする請求項１３または１４記載の装置。
【請求項１７】
応答を有する利得要素と、
前記利得要素との組合せが、バーコードを表す第１のアナログ信号に関する所定の振幅に基づく利得信号に対する線形応答を生成する前記利得要素応答のマップと、
前記線形応答を前記第１のアナログ信号に与えて、第２のアナログ信号を生成する回路と、
前記第２のアナログ信号の第１の周波数部分の振幅を測定し、前記第２のアナログ信号の第２の周波数部分の振幅を測定する論理と、
から構成されることを特徴とする請求項１３記載の装置
【請求項１８】
前記第１の周波数部分内の周波数は、前記第２の周波数部分内の周波数より高いことを特徴とする請求項８、１１または１３乃至１７に記載の装置。
【請求項１９】
前記第１の周波数部分内の周波数は、前記第２の周波数部分内の周波数の範囲内にある
ことを特徴とする請求項８、１１または１３乃至１７に記載の装置。
【請求項２０】
さらに、前記第１の周波数部分内の周波数は、前記第２の周波数部分内の周波数より低いことを特徴とする請求項８、１１または１３乃至１７に記載の装置。
【請求項２１】
前記論理は、前記アナログ信号の前記第２の周波数部分の前記振幅が前記アナログ信号の第１の周波数部分の前記振幅未満であるとさらに判定することを特徴とする請求項８、１１または１３乃至１７に記載の装置。
【請求項２２】
前記論理は、前記アナログ信号に、前記アナログ信号の前記第１の周波数部分の前記振幅に基づいて第２の利得をさらに与えることを特徴とする請求項８、１１または１３乃至１７に記載の装置。
【請求項２３】
前記論理は、前記アナログ信号に、前記アナログ信号の前記第２の周波数部分の前記振幅に基づいて第２の利得をさらに与えることを特徴とする請求項８、１１または１３乃至１７に記載の装置。
【請求項２４】
前記論理は、前記アナログ信号に、前記アナログ信号の前記第１の周波数部分の前記所定の振幅に基づいて第２の利得をさらに与えることを特徴とする請求項８、１１または１３乃至１７に記載の装置。
【請求項２５】
前記論理は、前記読み取り率が増加したとさらに判定し、前記増加した読み取り率に応答して、前記雑音フィルタをＯＮのままにすることを特徴とする請求項８、１１または１３乃至１７に記載の装置。
【請求項２６】
前記論理はさらに、前記読み取り率が低下したと判定し、前記低下した読み取り率に応答して前記雑音フィルタをＯＦＦにすることを特徴とする請求項８、１１または１３乃至１７に記載の装置。
【請求項２７】
バーコードを表すアナログ信号の第１の周波数部分の振幅を表す第１の値を生成するステップと、
前記アナログ信号の第２の周波数部分の振幅を表す第２の値を生成するステップと、
から構成されることを特徴とする方法。
【請求項２８】
バーコードを表すアナログ信号の第１の周波数部分の振幅が前記アナログ信号の第２の周波数部分の振幅とほぼ等しいと判定するために前記第１と第２の値を使用するステップと、
雑音フィルタがＯＦＦであると判定するステップと、
読み取り率が所定の値未満であると判定するステップと、
前記読み取り率が前記所定の値未満であることに応答して前記雑音フィルタをＯＮにするステップと、
をさらに有することを特徴とする請求項２７記載の方法。
【請求項２９】
前記アナログ信号に関する所定の振幅に基づいてバーコードを表すアナログ信号に利得を与えるステップをさらに有することを特徴とする請求項２８記載の方法。
【請求項３０】
前記第１の周波数部分内の周波数は、前記第２の周波数部分内の周波数より低いと判定するステップをさらに有することを特徴とする請求項２７、２８または２９のいずれかに記載の方法。
【請求項３１】
前記第１の周波数部分内の周波数は、前記第２の周波数部分内の周波数より高いと判定するステップをさらに有することを特徴とする請求項２７、２８または２９のいずれかに記載の方法。
【請求項３２】
前記第１の周波数部分内の周波数は、前記第２の周波数部分内の周波数の範囲内にあると判定するステップをさらに有することを特徴とする請求項２７、２８または２９のいずれかに記載の方法。
【請求項３３】
前記アナログ信号の前記第２の周波数部分の前記振幅は、前記アナログ信号の第１の周波数部分の前記振幅未満であると判定するステップをさらに有することを特徴とする請求項２７、２８または２９のいずれかに記載の方法。
【請求項３４】
前記アナログ信号の前記第１の周波数部分の前記振幅に基づいて前記アナログ信号に第２の利得を与えるステップをさらに有することを特徴とする３３記載の方法。
【請求項３５】
前記アナログ信号の前記第２の周波数部分の前記振幅に基づいて第２の利得を前記アナログ信号に与えるステップをさらに有することを特徴とする３３記載の方法。
【請求項３６】
前記アナログ信号に関する前記所定の振幅に基づいて前記アナログ信号に第２の利得を与えるステップをさらに有することを特徴とする２９記載の方法。
【請求項３７】
前記読み取り率が増加したと判定するステップと、
前記増加した読み取り率に応答して前記雑音フィルタをＯＮのままにするステップと、をさらに有することを特徴とする２８または２９記載の方法。
【請求項３８】
前記読み取り率が低下したと判定するステップと、
前記低下した読み取り率に応答して前記雑音フィルタをＯＦＦにするステップと、
をさらに有することを特徴とする２８または２９記載の方法。
【請求項３９】
バーコードを表すアナログ信号の第１の周波数部分を表す第１の値と、前記アナログ信号の第２の周波数部分を表す第２の値とを生成する変調伝達関数検出器と、
前記アナログ信号に対する前記第１の値、前記第２の値、および／または所定の振幅に基づいて利得信号を算出し、前記利得信号を利得制御回路に印加し、前記利得制御回路が、前記利得信号に対する線形応答である利得を前記アナログ信号に与えるプロセッサと、
から構成されることを特徴とする装置。
【請求項４０】
前記アナログ信号内の所定のレンジの周波数を通過させ、前記所定のレンジ外の周波数が通過するのを阻止するフィルタ回路をさらに有することを特徴とする請求項３９記載の装置。
【請求項４１】
前記アナログ信号をデジタル化する論理をさらに有することを特徴とする請求項３９記載の装置。